(57)【特許請求の範囲】
【請求項１】
外部の双方向ＣＡＴＶシステムから引込線を介して入力される下り信号、及び、衛星受信アンテナにて受信された衛星受信信号を、建造物内に配線された伝送線を介して、加入者側の複数の端末端子まで伝送すると共に、各端末端子より入力された上り信号を前記伝送線を介して前記引込線まで伝送し、該引込線から前記双方向ＣＡＴＶシステム側に送出する棟内ＣＡＴＶシステムにおいて、前記下り信号、前記衛星受信信号及び前記上り信号を夫々増幅するために設けられる増幅装置であって、
前記双方向ＣＡＴＶシステム側の伝送線に接続されて前記下り信号及び前記上り信号を入出力する第１端子と、前記衛星受信アンテナに伝送線を介して接続されて該衛星受信信号を入力する第２端子と、端末側の伝送線に接続されて前記上り信号，前記下り信号及び衛星受信信号を入出力する第３端子とからなる３つの端子が、前記第２端子を前記第１端子と前記第３端子との間に配置した状態で基板の一端縁に組み付けられると共に、前記下り信号を増幅する下り増幅回路と、前記衛星受信信号を増幅する衛星増幅回路と、前記上り信号を増幅する上り増幅回路と、前記第１端子に入力された下り信号を前記下り増幅回路まで伝送すると共に前記上り増幅回路により増幅された上り信号を前記第１端子まで伝送する第１信号経路と、前記第２端子に入力された前記衛星受信信号を前記衛星増幅回路まで伝送する第２信号経路と、前記第３端子に入力された上り信号を前記上り増幅回路まで伝送すると共に前記下り増幅回路により増幅された下り信号及び前記衛星増幅回路にて増幅された衛星受信信号を前記第３端子まで伝送する第３信号経路とが基板上に形成されたプリント配線基板と、
該プリント配線基板を内部に収納すると共に、該プリント配線基板に組み付けられた各端子を、前記各伝送線を接続できるように外部に突出させた状態で支持する筐体と、
を備え、前記プリント配線基板において、前記各増幅回路は、前記衛星増幅回路が、前記各端子が組み付けられた基板端縁に最も近く、前記上り増幅回路が、該基板端縁から最も遠く、前記下り増幅回路が、前記衛星増幅回路と前記上り増幅回路との間に位置するように配置され、
しかも、前記プリント配線基板には、前記各増幅回路を各々囲み、周囲の空間を通って各増幅回路に増幅対象となる信号以外の高周波信号が侵入するのを防止するシールド板が立設されていることを特徴とする棟内ＣＡＴＶシステム用増幅装置。
【請求項２】
前記プリント配線基板には、更に、前記各信号経路を各々囲むシールド板が立設されていることを特徴とする請求項１記載の棟内ＣＡＴＶシステム用増幅装置。
【請求項３】
前記プリント配線基板に立設されたシールド板の開放端側には、該シールド板にて囲まれた各回路を基板上方からシールドするための蓋体が設けられていることを特徴とする請求項１又は請求項２記載の棟内ＣＡＴＶシステム用増幅装置。
【請求項４】
前記筐体において、前記各端子が外部に突出される側壁とは反対側部分には、前記各増幅回路に電源供給を行うための電源回路が形成された電源回路基板が収納されていることを特徴とする請求項１〜請求項３何れか記載の棟内ＣＡＴＶシステム用増幅装置。
【請求項５】
前記プリント配線基板に形成される前記第１信号経路上に、当該第１信号経路を前記第１端子に接続するか前記第２端子に接続するかを手動で切換可能な経路切換スイッチを設け、
該経路切換スイッチを第２端子側に切り換えることにより、前記第１信号経路と前記第２端子とが、前記衛星受信信号を遮断し前記下り信号及び前記上り信号を通過させるフィルタ回路を介して接続されるようにしたことを特徴とする請求項１〜請求項４何れか記載の棟内ＣＡＴＶシステム用増幅装置。
【請求項６】
前記プリント配線基板に形成される前記第１信号経路上に、前記上り増幅回路により増幅された上り信号の一部を分岐させる第１分岐回路を設けると共に、前記各端子が組み付けられた前記プリント配線基板の一端縁で、且つ、前記第１端子よりも外側に第４端子を組み付け、更に、前記プリント配線基板に、前記第１分岐回路にて分岐された上り信号を前記第４端子まで導く第４信号経路を形成することにより、当該増幅装置から出力される上り信号を第４端子を介して検出できるようにしたことを特徴とする請求項１〜請求項５何れか記載の棟内ＣＡＴＶシステム用増幅装置。
【請求項７】
前記プリント配線基板に形成される前記第３信号経路上に、前記下り増幅回路及び衛星増幅回路により増幅された下り信号及び衛星受信信号の一部を分岐させる第２分岐回路を設けると共に、前記各端子が組み付けられた前記プリント配線基板の一端縁で、且つ、前記第３端子近傍に第５端子を組み付け、更に、前記プリント配線基板に、前記第２分岐回路にて分岐された下り信号及び衛星受信信号を前記第５端子まで導く第５信号経路を形成することにより、当該増幅装置から出力される下り信号及び衛星受信信号を第５端子を介して検出できるようにしたことを特徴とする請求項１〜請求項６何れか記載の棟内ＣＡＴＶシステム用増幅装置。
【請求項８】
前記上り増幅回路は、前記下り信号よりも周波数が高く前記衛星受信信号よりも周波数が低い第１上り信号を増幅する第１上り増幅回路と、前記下り信号よりも周波数が低い第２上り信号を増幅する第２上り増幅回路とからなり、
前記プリント配線基板において、前記各上り増幅回路は、前記第２上り増幅回路が、前記各端子が組み付けられた基板端縁から最も遠く、前記第１上り増幅回路が、前記第２上り増幅回路と前記下り増幅回路との間に位置するように配置され、
しかも、前記プリント配線基板には、前記各上り増幅回路を各々囲むように前記シールド板が立設されていることを特徴とする請求項１〜請求項７何れか記載の棟内ＣＡＴＶシステム用増幅装置。
【請求項９】
外部の双方向ＣＡＴＶシステムから引込線を介して入力される下り信号、及び、衛星受信アンテナにて受信された衛星受信信号を、建造物内に配線された伝送線を介して、加入者側の複数の端末端子まで伝送すると共に、各端末端子より入力された上り信号を前記伝送線を介して前記引込線まで伝送し、該引込線から前記双方向ＣＡＴＶシステム側に送出する棟内ＣＡＴＶシステムにおいて、
前記双方向ＣＡＴＶシステム側の伝送線と、前記衛星受信アンテナ側の伝送線と、端末側の伝送線との接続部分に、請求項１〜請求項８何れか記載の棟内ＣＡＴＶシステム用増幅装置を備えたことを特徴とする棟内ＣＡＴＶシステム。
【発明の詳細な説明】
【０００１】
【発明の属する技術分野】
本発明は、外部の双方向ＣＡＴＶシステムの伝送路と建造物内の端末端子とを接続して上り・下りの各信号を双方向に伝送すると共に、建造物に設置された衛星受信アンテナからの衛星受信信号を端末端子まで伝送する棟内ＣＡＴＶシステムにおいて、上り信号、下り信号及び衛星受信信号を増幅するのに使用される棟内ＣＡＴＶシステム用増幅装置に関する。
【０００２】
【従来の技術】
従来より、外部の双方向ＣＡＴＶシステムからの引込線を建造物内に引き込み、建造物内の伝送線を介して、引込線から入力された所定周波数帯の下り信号（詳しくは双方向ＣＡＴＶシステムのセンタ装置から伝送されてきた信号）を、建造物内の端末端子まで伝送すると共に、加入者側の端末装置から端末端子に入力された上り信号を引込線まで伝送して、引込線から双方向ＣＡＴＶシステムのセンタ装置側に出力させる、棟内ＣＡＴＶシステムが知られている。そして、この棟内ＣＡＴＶシステムには、通常、伝送線を流れる下り信号及び上り信号を夫々増幅する増幅装置が設けられている。
【０００３】
ところで、こうした棟内ＣＡＴＶシステムにおいて、加入者が、外部の双方向ＣＡＴＶシステムでは配信サービスを行っていないＢＳ放送やＣＳ放送の受信を希望する場合には、建造物に、別途、これら各放送電波を受信する衛星受信アンテナ（放送衛星（ＢＳ）からの送信電波を受信するＢＳアンテナ、若しくは、通信衛星（ＣＳ）からの送信電波を受信するＣＳアンテナ）を設け、この衛星受信アンテナからの衛星受信信号を、上記伝送線を介して端末側に伝送することになる。
【０００４】
そして、この場合、従来では、衛星受信アンテナからの衛星受信信号を専用の衛星増幅装置を用いて増幅し、その増幅後の衛星受信信号を、上記伝送線に設けた方向性結合器等を介して伝送線上に送出するようにしていた。
【０００５】
【発明が解決しようとする課題】
このため、従来、棟内ＣＡＴＶシステムにおいて、外部の双方向ＣＡＴＶシステムからの下り信号と、衛星受信アンテナにて受信された衛星受信信号とを、夫々端末側に伝送するためには、外部の双方向ＣＡＴＶシステムで伝送される上り・下りの各信号を増幅する双方向増幅装置と、衛星受信信号を増幅する衛星増幅装置との２種類の増幅装置を設置する必要があり、しかも、増幅後の衛星受信信号を伝送線上に送出するための機器を別途設けなければならないといった問題があった。
【０００６】
つまり、従来、棟内ＣＡＴＶシステムにおいて、外部の双方向ＣＡＴＶシステムで伝送される下り・上りの各信号と、衛星受信アンテナにて受信した衛星受信信号とを、一本の伝送線を用いて双方向に伝送できるようにするためには、棟内ＣＡＴＶシステムを構成する伝送用機器の数が増加することにより、棟内ＣＡＴＶシステムのコストアップを招き、しかも、これら機器を設置するスペースを確保したり、各増幅装置への給電経路を確保する必要があるため、設置工事が煩雑になる、という問題が生じていたのである。
【０００７】
一方、こうした問題は、下り信号を増幅する下り増幅回路と、上り信号を増幅する上り増幅回路と、衛星受信信号を増幅する衛星増幅回路とを一つの筐体内に組み込んだ増幅装置を提供することにより解消できる。
しかし、一つの筐体内に上記各増幅回路を単に組み込んだのでは、各増幅回路で増幅すべき信号が他の増幅回路に侵入し、これがノイズとなって各信号の品質が低下するとか、場合によっては、増幅回路の発振を招き、各信号を正常に増幅できなくなるという問題が生じることになる。
【０００８】
また、こうした問題を防止するためには、例えば、各増幅回路を夫々専用のプリント配線基板を使って構成し、各基板をシールドケースに入れて、筐体内に組み込むようにすればよいが、このような対策では、増幅装置自体のコストアップを招き、増幅装置を安価に提供することができないという問題が生じる。
【０００９】
本発明は、こうした問題に鑑みなされたものであり、外部の双方向ＣＡＴＶシステムから伝送されてきた上り信号と衛星受信アンテナにて受信した衛星受信信号とを端末側に伝送し、端末側から入力された上り信号を外部の双方向ＣＡＴＶシステムに送出する棟内ＣＡＴＶシステムにおいて、上り信号，下り信号，衛星受信信号を一つの増幅装置を用いて増幅することができ、しかも、その増幅装置を安価に提供できるようにすることを目的とする。
【００１０】
【課題を解決するための手段及び発明の効果】
かかる目的を達成するためになされた請求項１記載の棟内ＣＡＴＶシステム用増幅装置においては、第１端子から入力された下り信号、第２端子から入力された衛星受信信号、及び、第３端子から入力された上り信号を各々増幅する増幅回路（上り増幅回路、下り増幅回路、及び、衛星増幅回路）が、一つのプリント配線基板に形成されている。
【００１１】
また、下り信号を入力し上り信号を出力する第１端子と、衛星受信信号を入力する第２端子と、上り信号を入力し下り信号と衛星受信信号とを出力する第３端子とは、夫々、プリント配線基板の一端縁に、第２端子が第１端子と第３端子との間に位置するように組み付けられている。そして、上記各増幅回路は、これら各端子が組み付けられたプリント配線基板の一端縁側から、衛星増幅回路、下り増幅回路、上り増幅回路の順に形成されている。
【００１２】
このため、上記３つの端子の内、中央に位置する第２端子に入力された衛星受信信号は、第２信号経路を通って、プリント配線基板の一端縁に最も近い衛星増幅回路に入力され、衛星増幅回路にて所定レベルまで増幅された後、第３信号経路を通って、第３端子から外部に出力されることになる。
【００１３】
そして、この衛星受信信号が増幅装置内で通過する経路長は、他の信号（下り信号・上り信号）の経路長に比べて最も短くなることから、衛星受信信号が増幅装置内で通過する際に生じる信号損失を少なくして、衛星受信信号を所望レベルまで効率よく増幅することが可能となる。
【００１４】
つまり、例えば、衛星受信アンテナが、放送衛星（ＢＳ）からの送信電波を受信するＢＳアンテナである場合、衛星受信信号（ＢＳ信号）の周波数は１０３５〜１３３５ＭＨｚとなり、下り信号や上り信号に比べて周波数が高くなる。また、衛星受信アンテナが通信衛星（ＣＳ）からの送信電波を受信するＣＳアンテナであれば、衛星受信信号（ＣＳ信号）の周波数はＢＳ信号よりも更に高くなる。そして、こうした高周波信号がプリント配線基板に形成された経路を通過する際に生じる信号損失は、その信号の周波数が高い程大きくなる。
【００１５】
このため、衛星増幅回路を上記各端子が組み付けられるプリント配線基板の一端縁から離れた位置に形成すると、衛星受信信号の通過経路が長くなって、その信号損失も大きくなってしまうが、本発明では、衛星増幅回路を他の増幅回路に比べて上記各端子に最も近い位置に形成していることから、増幅装置内での衛星受信信号の信号損失を少なくし、利得の小さな増幅回路を用いて衛星受信信号を所望レベルまで増幅できることになる。
【００１６】
次に、第１端子に入力された下り信号は、第１信号経路を介して、プリント配線基板中央に形成された下り増幅回路に入力され、下り増幅回路にて所定レベルまで増幅された後、第３信号経路を通って、第３端子から外部に出力され、逆に、第３端子に入力された上り信号は、第３信号経路を介して、プリント配線基板の衛星増幅回路とは反対側に形成された上り増幅回路に入力され、上り増幅回路にて所定レベルまで増幅された後、第１信号経路を通って、第１端子から外部に出力される。
【００１７】
そして、これら各増幅回路は、単にプリント配線基板上に形成しただけでは、各増幅回路に流れる各信号が基板周囲の空間を通って他の増幅回路に侵入し、各増幅回路から出力される信号の品質（Ｃ／Ｎ等）が低下するとか、増幅回路の発振を招く、といった前述の問題が生じることがあるので、本発明では、プリント配線基板において、各増幅回路の周囲にシールド板を立設し、このシールド板にて、基板周囲の空間を通って各増幅回路に増幅対象となる信号以外の高周波信号が侵入するのを防止できるようにしている。
【００１８】
このため、本発明によれば、同一のプリント配線基板上に上記各増幅回路を形成することによって各増幅回路での信号増幅特性が低下するのを防止することができる。また、このように、上記各増幅回路を同一のプリント配線基板に形成することができるので、各増幅回路を個々に製造する場合に比べて、増幅回路の製造コストを低減することができると共に、プリント配線基板を筐体内に収納する際の製造工程を簡素化することができる。よって、本発明によれば、下り信号、上り信号、及び衛星受信信号を安定して増幅することのできる増幅装置を、安価に提供できるようになる。
【００１９】
ここで、プリント配線基板には、上記のように３種の増幅回路の周囲を囲むシールド板だけでなく、請求項２に記載のように、更に、上記各端子と各増幅回路を接続する第１〜第３信号経路の周囲を各々囲むシールド板を立設するようにしてもよい。そして、このようにすれば、各端子に入出力される高周波信号が周囲の空間を通って他の端子に侵入する、といったことも防止でき、当該増幅装置に入出力される高周波信号の品質低下を防止することができる。
【００２０】
また、請求項３に記載のように、プリント配線基板に立設されたシールド板の開放端側に、シールド板にて囲まれた各回路を基板上方からシールドするための蓋体を設けるようにしても、当該増幅装置に入出力される高周波信号の品質低下を防止することができる。
【００２１】
また、本発明のような増幅装置では、各増幅回路に電源供給を行う電源回路を設ける必要があるが、こうした電源回路を上記各増幅回路と共に筐体内に収納する場合には、請求項４に記載のように、電源回路が形成された電源回路基板を、上記各端子が外部に突出される側の筐体の側壁とは反対側部分に配置するようにすればよい。つまり、このようにすれば、電源回路で発生したノイズが、高周波信号入出力用の端子や各増幅回路に侵入するのを防止でき、当該増幅装置に入出力される高周波信号の信号品質を確保することができる。
【００２２】
一方、本発明において、第１端子は、基本的には、外部の双方向ＣＡＴＶシステム側の伝送線に接続されて、当該装置に下り信号を入力したり、当該装置にて増幅された上り信号を外部の双方向ＣＡＴＶシステムに送出するためのものであり、第２端子は、基本的には、衛星受信アンテナに伝送線を介して接続されて、衛星受信アンテナからの衛星受信信号を当該装置に入力するためのものであるが、これら各端子の機能をこのように制限すると、伝送用機器として、衛星受信アンテナ側の伝送線と外部の双方向ＣＡＴＶシステム側の伝送線とを接続する混合器を備えた棟内ＣＡＴＶシステムには、本発明の増幅装置を使用することができなくなる。
【００２３】
そこで、このような混合器を備えた棟内ＣＡＴＶシステムでも本願発明の増幅装置を利用できるようにするには、請求項５に記載の増幅装置のように、プリント配線基板に形成される第１信号経路上に、第１信号経路を第１端子に接続するか第２端子に接続するかを手動で切換可能な経路切換スイッチを設け、この経路切換スイッチを第２端子側に切り換えることにより、第１信号経路と前記第２端子とが、衛星受信信号を遮断し下り信号及び前記上り信号を通過させるフィルタ回路を介して接続されるように構成するとよい。
【００２４】
つまり、請求項５記載の増幅装置においては、経路切換スイッチを第１端子側に切り換えておけば、上記の通り、第１端子が下り信号入力用及び上り信号出力用の端子として機能し、第２端子が衛星受信信号入力用の端子として機能するようになるが、経路切換スイッチを第２端子側に切り換えておけば、第２端子を、下り信号入力用、上り信号出力用、衛星受信信号入力用の端子として機能させることができるようになり、伝送用機器として、衛星受信アンテナ側の伝送線と外部の双方向ＣＡＴＶシステム側の伝送線とを接続する混合器を備えた棟内ＣＡＴＶシステムにおいて利用できることになる。
【００２５】
ところで、本発明の増幅装置を用いて棟内ＣＡＴＶシステムを構築した場合、増幅装置から出力される各信号の信号レベルを検出して、増幅装置やシステム全体の動作状態を点検する必要が生じることがある。そして、このような点検作業を行う場合に、増幅装置の各端子と各伝送線との接続を切り離すようにしては、システム運用の妨げとなり、また、増幅装置の実際の使用時の状態を検出することができない。
【００２６】
そこで、こうした点検作業をより簡単且つ良好に行えるようにするには、増幅装置を、請求項６若しくは請求項７に記載のように構成することが望ましい。
即ち、請求項６に記載の増幅装置においては、プリント配線基板に形成される第１信号経路上に、上り増幅回路により増幅された上り信号の一部を分岐させる第１分岐回路を設けると共に、各端子が組み付けられたプリント配線基板の一端縁で、且つ、第１端子よりも外側に第４端子を組み付け、更に、プリント配線基板に、第１分岐回路にて分岐された上り信号を第４端子まで導く第４信号経路を形成している。このため、請求項６に記載の増幅装置によれば、当該増幅装置から出力される上り信号を、第４端子を介して検出することができ、上り増幅回路の増幅動作等を容易に点検できることになる。
【００２７】
また、請求項７に記載の増幅装置においては、プリント配線基板に形成される第３信号経路上に、下り増幅回路及び衛星増幅回路により増幅された下り信号及び衛星受信信号の一部を分岐させる第２分岐回路を設けると共に、各端子が組み付けられたプリント配線基板の一端縁で、且つ、第３端子近傍に第５端子を組み付け、更に、プリント配線基板に、第２分岐回路にて分岐された下り信号及び衛星受信信号を第５端子まで導く第５信号経路を形成している。このため、請求項７に記載の増幅装置によれば、当該増幅装置から出力される下り信号及び衛星受信信号を第５端子を介して検出することができ、下り増幅回路や衛星増幅回路の動作等を容易に点検できることになる。
【００２８】
ところで、双方向ＣＡＴＶシステムにおいては、通常、上り信号の周波数が、下り信号の周波数よりも低く設定されているが、最近では、上り信号として伝送可能な信号数（換言すれば情報量）を多くする目的で、下り信号よりも周波数が高く衛星受信信号よりも周波数が低い第１上り信号（以下、上りHigh信号ともいう）と、下り信号よりも周波数が低い第２上り信号（以下、上りLow 信号ともいう）との２種類の上り信号を伝送できるようにした双方向ＣＡＴＶシステムも実用化されつつある。
【００２９】
そして、この種の双方向ＣＡＴＶシステムに引込線を介して接続される棟内ＣＡＴＶシステムでは、上り信号として、上記２種類の上り信号が伝送されることになるが、本発明の増幅装置をこうした棟内ＣＡＴＶシステムで使用するに当たって、増幅装置内に組み込む上り増幅回路を一つに制限すると、その上り増幅回路の動作可能周波数帯域を極めて広くする必要があり、装置のコストアップを招くことが考えられる。
【００３０】
そこで、本発明の増幅装置を、上りHigh信号と上りLow 信号との２種類の上り信号が伝送される棟内ＣＡＴＶシステムで使用する場合には、請求項８に記載のように、第１上り信号（上りHigh信号）を増幅する第１上り増幅回路と、第２上り信号（上りLow 信号）増幅する第２上り増幅回路とから構成し、プリント配線基板には、第２上り増幅回路が、各端子が組み付けられたプリント配線基板の一端縁から最も遠く、第１上り増幅回路が、第２上り増幅回路と下り増幅回路との間に位置するように、各上り増幅回路を形成し、更に、プリント配線基板には、これら各上り増幅回路を各々囲むようにシールド板を立設するようにするとよい。
【００３１】
つまり、このようにすれば、プリント配線基板には、上り増幅回路として２種類の上り増幅回路を形成する必要があるが、これら各上り増幅回路の動作可能周波数帯域は、第１上り信号（上りHigh信号）及び第２上り信号（上りLow 信号）の各周波数帯域に合わせて設定すればよいので、各上り増幅回路の動作可能周波数帯域を狭くすることができる。このため、上り増幅回路を動作可能周波数帯域が広い一つの広帯域増幅回路にて構成した場合に比べて、２種類の上り増幅回路を安価に構成することが可能となり、２種類の上り信号が伝送される棟内ＣＡＴＶシステムで使用可能な増幅装置を安価に提供できることになる。
【００３２】
また、プリント配線基板において、第２上り信号よりも周波数が高い第１上り信号を増幅する第１上り増幅回路は、第２上り増幅回路よりも端子側に配置されるので、本発明によれば、この配置を逆にした場合に比べて、当該増幅装置での第１上り信号の信号損失を少なくして、第１上り増幅回路の利得を小さくすることができる。
【００３３】
一方、請求項９に記載の発明は、外部の双方向ＣＡＴＶシステムから引込線を介して入力される下り信号、及び、衛星受信アンテナにて受信された衛星受信信号を、建造物内に配線された伝送線を介して、加入者側の複数の端末端子まで伝送すると共に、各端末端子より入力された上り信号を伝送線を介して引込線まで伝送し、引込線から双方向ＣＡＴＶシステム側に送出する棟内ＣＡＴＶシステムに関するもので、外部の双方向ＣＡＴＶシステム側の伝送線と衛星受信アンテナ側の伝送線と、端末側の伝送線とを接続する部分に、請求項１〜請求項８何れか記載の増幅装置を設けたことを特徴とする。
【００３４】
そして、この請求項９に記載の棟内ＣＡＴＶシステムによれば、上述した増幅装置だけで、上り信号、下り信号、及び衛星受信信号を増幅することができるので、上り信号及び下り信号を増幅する増幅装置と衛星受信信号を増幅する増幅装置との２つの増幅装置を用いて上記各信号を増幅する従来の棟内ＣＡＴＶシステムに比べて安価に実現できる。また、棟内ＣＡＴＶシステムを構成する伝送用機器の数を少なくすることができるので、システムの点検作業を容易に行うことができる。
【００３５】
【発明の実施の形態】
以下に本発明の実施例を図面と共に説明する。
図１は、本発明が適用された実施例の棟内ＣＡＴＶシステム全体の構成を表す構成図である。
【００３６】
図１に示す如く、本実施例の棟内ＣＡＴＶシステムは、外部の双方向ＣＡＴＶシステムの伝送線（ＣＡＴＶ伝送線）２から分岐装置４を介して分岐された引込線６を、保安器８を介して、マンション，アパート等の建造物内に引き込み、建造物内に配線された同軸ケーブルからなる伝送線Ｌ、及び、この伝送線Ｌに設けられた双方向増幅器１０，分岐器１２，分配器１４等を介して、引込線６から入力された双方向ＣＡＴＶシステムの下り信号（周波数：例えば７０ＭＨｚ〜６０２ＭＨｚ）を、建造物内の各加入者宅に設置された直列ユニット等からなる複数の端末端子１６まで伝送すると共に、加入者側の各種端末装置から後述のアップコンバータ２０を介して端末端子１６に入力された棟内上り信号を、引込線６まで伝送するものである。
【００３７】
そして、本実施例の棟内ＣＡＴＶシステムでは、加入者側で、外部の双方向ＣＡＴＶシステムのセンタ装置を介してインターネットを楽しむ場合や、センタ装置に対して有料番組の視聴予約やテレビショッピング等のためのデータを送信する際には、その加入者側の端末端子１６に、アップコンバータ２０及びケーブルモデム２２を介して、データ通信用の情報端末装置（パーソナルコンピュータ等）２４を接続する。
【００３８】
この結果、情報端末装置２４から出力されたデータ通信用の送信データは、ケーブルモデム２２にて、外部の双方向ＣＡＴＶシステムで伝送可能な所定周波数帯（例えば１０ＭＨｚ〜５５ＭＨｚ）の上り信号に変換され、更に、この上り信号は、アップコンバータ２０にて、所定周波数帯（例えば８２１ＭＨｚ〜８６６ＭＨｚ）の棟内上り信号に周波数変換されて、端末端子１６に入力される。
【００３９】
このため、棟内ＣＡＴＶシステムの伝送線Ｌと、外部の双方向ＣＡＴＶシステムからの引込線６との接続部分には、各端末端子１６から伝送線Ｌを介して伝送されてきた棟内上り信号を、外部の双方向ＣＡＴＶシステムで伝送可能な元の上り信号に周波数変換するためのダウンコンバータ３０が設けられている。
【００４０】
また、建造物には、衛星放送受信用のＢＳアンテナ２８が設置されており、ＢＳアンテナ２８からの衛星受信信号（図に示すＢＳ−ＩＦ；以下ＢＳ信号という）は、双方向増幅器１０に入力され、双方向増幅器１０で所定レベルまで増幅された後、端末側の伝送線Ｌ上に送出される。
【００４１】
従って、棟内ＣＡＴＶシステムの伝送線Ｌには、下り信号と棟内上り信号とＢＳ信号との３種類の高周波信号が流れることになり、しかも、これら各信号は、双方向増幅器１０にて所定レベルまで増幅されることになる。
尚、図１において、符号２６は、アップコンバータ２０が接続されない端末端子１６に接続され、伝送線Ｌを介して伝送されてきた外部の双方向ＣＡＴＶシステムからの下り信号やＢＳアンテナ２８からのＢＳ信号を受信して、所望チャンネルのテレビ放送を復調・再生するテレビ受像機を表す。
【００４２】
また、ＢＳアンテナ２８から出力されるＢＳ信号の周波数は、１０３５ＭＨｚ〜１３３５ＭＨｚであるが、双方向増幅器１０は、増幅可能な衛星受信信号の周波数帯域が、ＢＳ信号の周波数帯域よりも広い、例えば、１０３５ＭＨｚ〜２１５０ＭＨｚに設定されている。これは、双方向増幅器１０が使用される棟内ＣＡＴＶシステムに、通信衛星からの送信電波を受信するＣＳアンテナが設置されている場合に、このＣＳアンテナからの衛星受信信号（ＣＳ信号）を双方向増幅器１０にて増幅して、端末側の伝送線Ｌ上に送出できるようにするためである。
【００４３】
次に、この双方向増幅器１０の構成を詳しく説明する。尚、双方向増幅器１０は、本発明の棟内ＣＡＴＶシステム用増幅装置に相当するものである。
図２は、双方向増幅器１０を、正面，底面及び右側面から見た状態を表す外観図（３面図）であり、図３はその分解斜視図である。
【００４４】
本実施例の双方向増幅器１０は、周波数の異なる上記各信号（下り信号、棟内上り信号、ＢＳ信号）を各々増幅する３種の増幅回路を一枚のプリント配線基板に形成した増幅回路基板５０と、各増幅回路に供給する電源電圧を生成する電源回路が形成された電源回路基板５２とを矩形の筐体４０内に収納したものである。
【００４５】
図２に示すように、正面から見た筐体４０の外壁には、内部の増幅回路基板５０に組み付けられている利得調整用のボリュームを操作するための丸孔４０ａや、同じく増幅回路基板５０に組み付けられている各種スイッチを操作するための角孔４０ｂが複数穿設されている。また筐体４０の正面外壁や上下左右の側壁には、放熱用の長孔４０ｃが多数穿設されており、しかも、裏面側には、多数のフィンが立設された放熱用のヒートシンク４６が組み付けられている。
【００４６】
また、筐体４０の上面からは、内部の電源回路に商用電源を供給するための電源コード４８が引き出されており、筐体４０の底面には、同軸ケーブルをＦ型プラグを介して簡単に接続できるようにＦ型接栓にて構成された信号入出力用の５つの端子Ｔ１〜Ｔ５が突設されている。
【００４７】
これら５つの端子Ｔ１〜Ｔ５の内、第１端子Ｔ１は、引込線６からダウンコンバータ３０を介して伝送されてくる下り信号を双方向増幅器１０に入力し、双方向増幅器１０にて増幅した棟内上り信号をダウンコンバータ３０側に出力するためのものであり、本実施例では、ダウンコンバータ３０側の伝送線Ｌに接続されている。
【００４８】
また、第２端子Ｔ２は、ＢＳアンテナ２８から伝送線を介して伝送されてくるＢＳ信号を双方向増幅器１０に入力するためのものであり、本実施例では、ＢＳアンテナ２８に伝送線を介して直接接続されている。尚、本実施例では、後述の経路切換スイッチを操作することにより、第２端子Ｔ２を、下り信号とＢＳ信号とを入力し、増幅後の棟内上り信号を出力する入出力端子としても使用できるようにされている。但し、この場合は、第１端子Ｔ１は、内部回路と遮断され、信号の入出力はできなくなる。
【００４９】
また次に、第３端子Ｔ３は、端末側から伝送されてくる棟内上り信号を双方向増幅器１０内に入力し、双方向増幅器１０にて増幅した下り信号及びＢＳ信号を端末側に送出するためのものであり、端末側の伝送線Ｌに接続されている。
一方、第４端子Ｔ４は、第１端子Ｔ１（又は第２端子Ｔ２）に接続された伝送線を外すことなく、第１端子Ｔ１（又は第２端子Ｔ２）から出力される棟内上り信号の信号状態（信号レベル等）を検出できるように設けられた所謂テスト端子であり、通常時は使用する必要がないので、樹脂製の保護キャップにて保護されている。
【００５０】
また、第５端子Ｔ５は、第３端子Ｔ３に接続された伝送線を外すことなく、第３端子Ｔ３から出力される下り信号やＢＳ信号の信号状態（信号レベル等）を検出できるように設けられた所謂テスト端子であり、第４端子Ｔ４と同様、通常時は使用する必要がないので、樹脂製の保護キャップにて保護されている。
【００５１】
次に、筐体４０は、図３に示すように、裏面にヒートシンク４６が組み付けられた本体ケース４２と、本体ケース４２を覆う上蓋ケース４４とからなる。
本体ケース４２は、金属板をプレス成形することにより作製されており、裏面にヒートシンク４６を組み付け可能な底板部４２ａと、底板部４２ａの上端及び下端で折り曲げられて筐体の上面及び底面を構成する側壁部４２ｂとからなる。また、底板部４２ａには、増幅回路基板５０及び電源回路基板５２を固定するための固定部４２ｃが形成されている。
【００５２】
また、上蓋ケース４４は、本体ケース４２と同様に、金属板をプレス成形することにより作製されており、本体ケース４２の底板部４２ａと略同形状で、筐体４０の正面外壁となる上板部４４ａと、上板部４４ａの左右で折り曲げられて筐体４０の左右の側面となる側壁部４４ｂとからなる。
【００５３】
尚、図２に示した丸孔４０ａ、角孔４０ｂ、及び、放熱用の長孔４０ｃは、上記各ケース４２，４４のプレス成形時に同時に形成されるが、図３では省略されている。また、本体ケース４２において上記各端子Ｔ１〜Ｔ５が配置される底面側の側壁部４２ｂには、各端子Ｔ１〜Ｔ５を筐体内側から挿通するための端子挿通孔が形成されており、上蓋ケース４４の左右の側壁部４４ｂには、当該上蓋ケース４４を本体ケース４２に螺子止めするための螺子孔が穿設されている。
【００５４】
次に、電源回路基板５２は、電源コード４８を介して入力される商用電源（例えば交流１００Ｖ）を所定電圧まで降圧する変圧器や、変圧器にて降圧された交流電圧を整流して増幅回路基板５０に形成された３種の増幅回路を駆動するための所定の直流定電圧を生成する定電圧回路を、矩形の基板上に組み付けたものであり、筐体４０の上面側で、本体ケース４２の底板部４２ａに形成された固定部４２ｃに固定されている。
【００５５】
一方、増幅回路基板５０は、上記３種の増幅回路を矩形のプリント配線基板上に形成したものであるが、その一端縁には、上述した各端子Ｔ１〜Ｔ５が固定されており、各端子Ｔ１〜Ｔ５と各増幅回路とを接続する信号経路もプリント配線によって基板上に形成されている。また、増幅回路基板５０の周囲は、シールド板５０ａにて囲まれており、上記各端子Ｔ１〜Ｔ５を構成する接栓は、このシールド板５０ａを介して増幅回路基板５０に固定されている。また、シールド板５０ａは、その板面中央が増幅回路基板５０の端縁となるように増幅回路基板５０を囲むことで、シールド板５０ａの端縁が、増幅回路基板５０の表・裏面から所定の高さ位置となるようにされている。
【００５６】
そして、このようにシールド板５０ａにて囲まれた増幅回路基板５０は、シールド板５０ａの一方の端縁が本体ケース４２の底板部４２ａに当接するように、筐体４０の底面側に載置され、本体ケース４２の左右に立設された固定部４２ｃにシールド板５０ａを螺子止めすることにより、本体ケース４２に固定される。また、このように本体ケース４２に固定された増幅回路基板５０には、周囲のシールド板５０ａを覆うように、シールド用の蓋体５４が組み付けられる。この結果、増幅回路基板５０は、シールド板５０ａによって板面方向周囲が囲まれるだけでなく、その表・裏面も、蓋体５４と本体ケース４２の底板部４２ａとにより囲まれることにより、電気的に完全に密封した状態となる。
【００５７】
尚、図示しないが、蓋体５４には、上蓋ケース４４と同様に、増幅回路基板５０に組み付けたボリュームや各種スイッチ類を外部から操作するための丸孔及び角孔が形成されている。また、上記のように増幅回路基板５０を本体ケース４２の底板部４２ａに載置する際、増幅回路基板５０周囲のシールド板５０ａから突出した接栓（端子Ｔ１〜Ｔ５）は、本体ケース４２の側壁部４２ｂに形成された端子挿通孔に挿通される。
【００５８】
次に、増幅回路基板５０に形成された各回路の構成及びその配置について説明する。
図４に示すように、増幅回路基板５０の同一端縁に組み付けられる５つの端子Ｔ１〜Ｔ５の内、端末側の伝送線Ｌに接続される第３端子Ｔ３は、増幅回路基板５０の右端側に配置され、下り信号及びＢＳ信号の状態検出用のテスト端子となる第５端子Ｔ５は、第３端子Ｔ３に隣接して第３端子Ｔ３の左横に配置されている。また、棟内上り信号状態検出用のテスト端子となる第４端子Ｔ４は、増幅回路基板５０の左端側に配置され、外部の双方向ＣＡＴＶシステム側の伝送線に接続される第１端子Ｔ１は、第４端子Ｔ４に隣接して第４端子Ｔ４の右横に配置され、更に、ＢＳアンテナ２８側の伝送線に接続される第２端子Ｔ２は、第１端子Ｔ１に隣接して第１端子Ｔ１の右横に配置されている。
【００５９】
一方、上記３種の増幅回路の内、棟内上り信号を増幅する上り増幅回路６０は、増幅回路基板５０において上記各端子Ｔ１〜Ｔ５が組み付けられた側とは反対側の基板端縁に沿って形成されている。また、下り信号を増幅する下り増幅回路７０は、上り増幅回路６０に隣接して、上り増幅回路６０よりも上記各端子Ｔ１〜Ｔ５が組み付けられた基板端縁側に形成されており、ＢＳ信号及びＣＳ信号を増幅可能な衛星増幅回路８０は、下り増幅回路７０に隣接して、上記各端子Ｔ１〜Ｔ５が組み付けられた基板端縁に最も近い位置に形成されている。
【００６０】
そして、ＢＳアンテナ２８から第２端子Ｔ２に入力されたＢＳ信号は、ＢＳ信号（延いてはＣＳ信号）を通過させ、棟内上り信号や下り信号の通過を遮断するカットオフ周波数が例えば１０３５ＭＨｚのハイパスフィルタ（以下、ＨＰＦという）９１、及び、スイッチ操作によって減衰量を調整可能なアッテネータ（以下、ＡＴＴという）９２からなる衛星受信信号（ＢＳ・ＣＳ信号）通過用の第２信号経路を介して、衛星増幅回路８０の初段の増幅回路８１に入力される。
【００６１】
この増幅回路８１にて増幅されたＢＳ信号は、ボリューム操作によって当該衛星増幅回路８０の利得を調整可能なゲインコントロール回路（以下、ＧＣという）８２を通って、次段の増幅回路８３に入力される。また、この増幅回路８３にて増幅されたＢＳ信号は、周波数が高いほど信号レベルが高くなるようにＢＳ信号の周波数特性に傾斜をつけるスロープ回路（ＳＬＰ）８４を通って、増幅回路８５に入力される。尚、このスロープ回路８４によるＢＳ信号の傾斜特性は、外部からのスイッチ操作によって設定できるようにされている。
【００６２】
そして、この増幅回路８５に入力されたＢＳ信号は、この増幅回路８５と、次の増幅回路８６と、その次の増幅回路８７にて段階的に増幅され、最終段の増幅回路８８に入力される。そして、この最終段の増幅回路８８にて増幅されたＢＳ信号は、上記ＨＰＦ９１と同じ特性のＨＰＦ９３を備えたＢＳ信号出力用の信号経路を介して、第３端子Ｔ３に伝達され、第３端子Ｔ３から端末側の伝送線Ｌ上に送出される。
【００６３】
次に、外部の双方向ＣＡＴＶシステム側より第１端子Ｔ１に入力された下り信号は、増幅回路基板５０において第２信号経路よりも外側に形成された第１信号経路を通って下り増幅回路７０に伝達される。そして、下り増幅回路７０側において、下り信号は、棟内上り信号やＢＳ信号（延いてはＣＳ信号）の通過を遮断し、下り信号を通過させる、カットオフ周波数が例えば６０２ＭＨｚのローパスフィルタ（以下、ＬＰＦという）７１、スイッチ操作によって減衰量を調整可能なＡＴＴ７２、ボリューム操作によって当該下り増幅回路７０の利得を調整可能なＧＣ７３を順に通って、初段の増幅回路７４に入力される。
【００６４】
また、増幅回路７４に入力された下り信号は、この増幅回路７４と次段の増幅回路７５とにより段階的に増幅された後、外部からのスイッチ操作によって下り信号の傾斜特性を調整可能なチルト回路（ＴＬＴ）７６に入力され、このチルト回路で傾斜特性が調整された後、増幅回路７７に入力される。そして、下り信号は、この増幅回路７７と最終段の増幅回路７８とにより更に増幅され、上記ＬＰＦ７１と同じ特性のＬＰＦ７９を介して、第３端子Ｔ３側に出力される。
【００６５】
尚、下り増幅回路７０から第３端子Ｔ３に至る信号経路上には、ＢＳ信号（延いてはＣＳ信号）の通過を遮断し、下り信号及び棟内上り信号を通過させる、カットオフ周波数が例えば８６６ＭＨｚのＬＰＦ９４が設けられており、ＬＰＦ９４を通過した増幅後の下り信号は、ＨＰＦ９３を介して衛星増幅回路８０側から伝送されてきた増幅後のＢＳ信号と共に、第３端子Ｔ３に伝送され、第３端子Ｔ３から端末側の伝送線Ｌ上に送出される。
【００６６】
また、第３端子Ｔ３からＨＰＦ９３及びＬＰＦ９４に至る信号経路（本発明の第３信号経路に相当する）には、この経路を通過する下り信号及びＢＳ信号の一部を分岐させる分岐回路９５が設けられており、この分岐回路９５にて分岐された下り信号及びＢＳ信号は、増幅回路基板５０に形成された第５信号経路を通って、第５端子Ｔ５に伝送される。このため、第５端子Ｔ５からは第３端子Ｔ３から出力される下り信号及びＢＳ信号に比例した信号が出力されることになり、第５端子Ｔ５にレベルチェッカー等の信号レベル検出装置を接続すれば、第３端子Ｔ３から出力される下り信号及びＢＳ信号の信号レベルを検出できるようになる。
【００６７】
一方、端末側から第３端子Ｔ３に入力された棟内上り信号は、第３信号経路からＬＰＦ９４を通って下り増幅回路７０側に伝達され、更に、下り増幅回路７０に設けられたＨＰＦ６１を介して、上り増幅回路６０に入力される。尚、ＨＰＦ６１は、ＬＰＦ９４を介して伝送されてきた棟内上り信号を通過させ、ＬＰＦ７９を通過した下り信号の通過を遮断するためのものであり、そのカットオフ周波数は、例えば、８２１ＭＨｚに設定されている。
【００６８】
次に、ＨＰＦ６１を介して上り増幅回路６０に入力された棟内上り信号は、初段の増幅回路６２で増幅された後、ボリューム操作によって当該上り増幅回路６０の利得を調整可能なＧＣ６３を通って、次段の増幅回路６４に入力される。そして、この増幅回路６４に入力された棟内上り信号は、この増幅回路６４と、次段の増幅回路６５と、最終段の増幅回路６６とにより、段階的に増幅された後、スイッチ操作によって減衰量を調整可能なＡＴＴ６７を介して、下り増幅回路７０側に伝送される。
【００６９】
下り増幅回路７０側には、上記ＨＰＦ６１と同じ特性のＨＰＦ６８が設けられており、上り増幅回路６０から伝送されてきた棟内上り信号は、このＨＰＦ６８を介して、第１端子Ｔ１とＬＰＦ７１とを接続する第１信号経路上に送出される。この結果、棟内上り信号は、第１信号経路を下り信号とは逆方向に伝送され、第１端子Ｔ１から引込線６側に送出されることになる。
【００７０】
また、この第１信号経路には、この経路を通過する棟内上り信号の一部を分岐させる分岐回路９６が設けられており、この分岐回路９６にて分岐された棟内上り信号は、増幅回路基板５０に形成された第４信号経路を通って、第４端子Ｔ４に伝送される。このため、第４端子Ｔ４からは第１端子Ｔ１から出力される棟内上り信号に比例した信号が出力されることになり、第４端子Ｔ４にレベルチェッカー等の信号レベル検出装置を接続すれば、第１端子Ｔ１から出力される棟内上り信号の信号レベルを検出できるようになる。
【００７１】
また、第１信号経路において、分岐回路９６から第１端子Ｔ１に至る部分には、経路切換スイッチ９７が設けられている。この経路切換スイッチ９７は、第１信号経路の第１端子Ｔ１への接続を遮断し、第１信号経路を第２端子Ｔ２に接続することにより、当該増幅回路基板５０における下り信号及び棟内上り信号の通過経路を、第１端子Ｔ１側から第２端子Ｔ２側に手動で切り換えることができるようにするためのものである。
【００７２】
そして、この経路切換スイッチ９７と、第２端子Ｔ２との間の信号経路上には、上記ＬＰＦ９４と同じ特性のＬＰＦ９８が設けられ、この経路を通過しようとする衛星受信信号（ＢＳ信号・ＣＳ信号）を遮断できるようにされている。
このため、本実施例の双方向増幅器１０においては、経路切換スイッチ９７を、第１端子Ｔ１側に切り換えておけば、第１端子Ｔ１を、下り信号入力・棟内上り信号出力用の入出力端子として機能させ、第２端子Ｔ２を衛星受信信号の入力端子として機能させることができるが、経路切換スイッチ９７を第２端子Ｔ２側に切り換えておけば、第２端子Ｔ２を、下り信号入力・棟内上り信号出力・衛星受信信号入力用の入出力端子として機能させることができる。
【００７３】
従って、ＢＳアンテナ２８等の衛星受信アンテナからの伝送線と外部の双方向ＣＡＴＶシステム側の伝送線とを混合回路に接続し、混合回路に接続されたもう一つの伝送線にて上記各信号を伝送するように構成された棟内ＣＡＴＶシステムであれば、その混合回路から引き出された伝送線を第２端子Ｔ２に接続し、経路切換スイッチ９７を第２端子Ｔ２側に切り換えることにより、双方向増幅器１０で、上記各信号を増幅することが可能となる。
【００７４】
次に、増幅回路基板５０には、当該増幅回路基板５０を、上り増幅回路６０の領域と、下り増幅回路７０の領域と、衛星増幅回路８０を含む端子側の領域とに、上下方向に３分割するシールド板５０ｂ，５０ｃが立設されている。
また、衛星増幅回路８０を含む端子側の領域は、その内側に立設されたシールド板５０ｄにて、更に、分岐回路９６，経路切換スイッチ９７，ＬＰＦ９８が形成される第１信号経路側の領域と、ＨＰＦ９１及びＡＴＴ９２が形成される第２信号経路側の領域と、衛星増幅回路８０の増幅回路８１及びＧＣ８２が形成される領域と、衛星増幅回路８０の増幅回路８３，ＳＬＰ８４，増幅回路８５，８６，８７が形成される領域と、衛星増幅回路８０の最終段の増幅回路８８，ＨＰＦ９３，ＬＰＦ９４，分岐回路９５が形成される第３信号経路側の領域とに夫々区分されている。
【００７５】
そして、この第３信号経路側の領域では、衛星増幅回路８０の最終段の増幅回路８８及びＨＰＦ９３が形成された衛星受信信号の通過経路と、ＬＰＦ９４が設けられた下り信号及び棟内上り信号の通過経路との間にシールド板５０ｅが立設されている。
【００７６】
つまり、本実施例の増幅回路基板５０においては、基板周囲を囲むシールド板５０ａと、基板上に立設されたシールド板５０ｂ，５０ｃ，５０ｄ，５０ｅとにより、上記各増幅回路６０，７０，８０と、これら各増幅回路に対して信号を入出力する第１〜第３経路とを夫々囲み、これら各増幅回路や経路に流れる高周波信号が、基板周囲の空間を通って他の増幅回路や経路に侵入するのを防止しているのである。
【００７７】
従って、本実施例においては、上記３種の増幅回路６０，７０，８０を同一のプリント配線基板に形成しているにも係わらず、増幅回路６０，７０，８０の何れかに増幅すべき信号以外の信号が入力されて、その増幅回路が正常動作しなくなるのを防止できる。よって、本実施例によれば、上記各信号を増幅する各回路を別体で構成する必要はなく、上記各信号を正常に増幅し得る増幅装置を、安価に実現することが可能となる。
【００７８】
また、本実施例では、最も周波数の高い衛星受信信号を増幅する衛星増幅回路８０を、増幅回路基板５０において各端子Ｔ１〜Ｔ５が組み付けられた基板端縁に最も近い位置に配置していることから、増幅回路基板５０における上記３種の信号の通過経路の内、伝送時に最も減衰し易い衛星受信信号の通過経路を最も短くすることができる。よって、衛星増幅回路８０を各端子Ｔ１〜Ｔ５が組み付けられた基板端縁から離れた位置に形成した場合に比べて、衛星増幅回路８０の利得を小さくすることができ、その回路構成を簡単にすることができる。
【００７９】
また、更に、本実施例では、増幅回路基板５０に形成する各増幅回路６０，７０，８０及び端子Ｔ１〜Ｔ５の配置を上記のようにすることにより、各端子Ｔ１〜Ｔ５と各増幅回路６０，７０，８０とを接続する信号経路を、増幅回路基板５０に形成できるようにしており、各信号の信号経路を、同軸ケーブル等を使った空中配線にて形成する必要がないので、シールド板を含む増幅回路基板５０の組立工程を簡素化し、これによって、増幅回路基板５０の製造コストを低減することができる。
【００８０】
以上、本発明の一実施例を説明したが、本発明は、上記実施例に限定されるものではなく、種々の態様を採ることができる。
例えば、上記実施例では、アップコンバータ２０とダウンコンバータ３０とを備え、伝送線Ｌには下り信号よりも周波数の高い上り信号（棟内上り信号）を流すようにした棟内ＣＡＴＶシステムについて説明したが、周波数が下り信号よりも低い上り信号を伝送線Ｌに流すようにした棟内ＣＡＴＶシステムであれば、下り増幅回路７０に設けたＬＰＦ７１，７９を、上り信号の通過を遮断し、下り信号のみを通過させるようにカットオフ周波数を設定したハイパスフィルタに変更し、同じくＨＰＦ６１，６８を、下り信号の通過を遮断し、上り信号のみを通過させるようにカットオフ周波数を設定したローパスフィルタに変更することで、上記実施例と同じ双方向増幅器１０を用いることができる。
【００８１】
また、例えば、棟内ＣＡＴＶシステムの伝送線Ｌに、上り信号として、下り信号よりも周波数が低い上りLow 信号と、下り信号よりも周波数が高い上りHigh信号との２種類の信号が伝送される場合には、図５に示すように、増幅回路基板５０に形成する上り増幅回路６０を、上りHigh信号を増幅する上りHigh増幅回路６０ａと、上りLow 信号を増幅する上りLow 増幅回路６０ｂとに分離して、各増幅回路６０ａ，６０ｂを、増幅回路基板５０の各端子Ｔ１〜Ｔ５が形成された一端縁とは反対側の端縁に沿って並べて配置し、更に、これら各増幅回路６０ａ，６０ｂが形成された基板領域を分離するシールド板５０ｆを増幅回路基板５０に立設するようにすればよい。
【００８２】
尚、図５に示した双方向増幅器１０′においては、下り信号の周波数が、上りHigh信号と上りLow 信号との間の周波数になるので、下り増幅回路７０には、上記実施例のＬＰＦ７１，７９の代わりに、下り信号のみを選択的に通過させ、他の信号の通過を遮断するバンドパスフィルタ７１′，７９′が設けられ、このバンドパスフィルタ７１′，７９′によって、下り増幅回路７０に入出力される信号を下り信号のみに制限するようにしている。
【００８３】
また、図５に示した双方向増幅器１０′において、上りHigh増幅回路６０ａには、上記実施例と同様、上りHigh信号が流れる経路に沿って、増幅回路６２ａ、ＧＣ６３ａ、増幅回路６４ａ、増幅回路６５ａ、増幅回路６６ａ、ＡＴＴ６７ａが設けられている。そして、この上りHigh増幅回路６０ａには、更に、第３端子Ｔ３からＬＰＦ９４を介して伝送されてきた上り信号の中から、上りHigh信号のみを選択して初段の増幅回路６２ａに導くと共に、ＡＴＴ６７ａから出力される増幅後の上りHigh信号を分岐回路９６側に出力し、他の信号の侵入を防止するために、上記実施例のＨＰＦ６１，６８と同じ特性のＨＰＦ６１ａ，６８ａが設けられている。
【００８４】
一方、上りLow 増幅回路６０ｂは、上りHigh信号よりも周波数が低く、伝送損失の少ない上りLow 信号を増幅するものであるため、上りLow 増幅回路６０ｂは、上りHigh増幅回路６０ａに比べて、増幅回路が１段少なくなっている。即ち、上りLow 増幅回路６０ｂには、上りLow 信号が流れる経路に沿って、増幅回路６２ｂ、ＧＣ６３ｂ、増幅回路６４ｂ、増幅回路６５ｂ、ＡＴＴ６７ｂが設けられている。
【００８５】
そして、この上りLow 増幅回路６０ｂには、更に、第３端子Ｔ３からＬＰＦ９４を介して伝送されてきた上り信号の中から、上りLow 信号のみを選択して初段の増幅回路６２ｂに導くと共に、ＡＴＴ６７ｂから出力される増幅後の上りLow 信号を分岐回路９６側に出力し、他の信号の侵入を防止するために、上りLow 信号のみを通過させ他の信号の通過を遮断できるようにカットオフ周波数が設定されたローパスフィルタ６１ｂ及び６８ｂが設けられている。
【図面の簡単な説明】
【図１】  実施例の棟内ＣＡＴＶシステムの構成を表す構成図である。
【図２】  実施例の双方向増幅器の外観を表す説明図である。
【図３】  実施例の双方向増幅器の構造を表す分解斜視図である。
【図４】  実施例の双方向増幅器の増幅回路基板に形成された回路の構成及び配置を表す説明図である。
【図５】  周波数の異なる２種類の上り信号を増幅できるようにした増幅回路基板の一例を説明する説明図である。
【符号の説明】
１０…双方向増幅器、４０…筐体、４２…本体ケース、４４…上蓋ケース、４６…ヒートシンク、４８…電源コード、５０…増幅回路基板、５０ａ〜５０ｆ…シールド板、５２…電源回路基板、５４…蓋体、６０…上り増幅回路、７０…下り増幅回路、８０…衛星増幅回路、９７…経路切換スイッチ。
【図１】
0004616462.tif 000002
【図２】
0004616462.tif 000003
【図３】
0004616462.tif 000004
【図４】
0004616462.tif 000005
【図５】
0004616462.tif 000006